(57)【要約】【課題】隣り合う柄部の境界部が一方向両端部の端面に対して非平行状とされた柄部を設けた構成としながらも、接合部におけるパターンのずれを目立ち難くし得る化粧板を提供する。【解決手段】一方向に隣り合う化粧板に接合される化粧板１であって、厚さ方向一方側の化粧面１０には、互いの境界部１５が一方向両端部４，６の端面５，７に対して非平行状の傾斜直線状または曲線状とされた第１柄部１１と第２柄部１４とが一方向に交互に設けられており、前記第１柄部及び前記第２柄部のうちの一方の柄部が前記一方向両端部に位置し、かつ前記境界部が前記端面に交差及び接しないように半割状に設けられている。【選択図】図１
2019007267.tif 000002
【特許請求の範囲】
【請求項１】
一方向に隣り合う化粧板に接合される化粧板であって、
厚さ方向一方側の化粧面には、互いの境界部が一方向両端部の端面に対して非平行状の傾斜直線状または曲線状とされた第１柄部と第２柄部とが一方向に交互に設けられており、
前記第１柄部及び前記第２柄部のうちの一方の柄部が前記一方向両端部に位置し、かつ前記境界部が前記端面に交差及び接しないように半割状に設けられていることを特徴とする化粧板。
【請求項２】
請求項１において、
前記一方の柄部は、他方の柄部よりも濃色であることを特徴とする化粧板。
【請求項３】
請求項１または２において、
当該化粧板は、一方向に長尺状とされており、
前記第１柄部と前記第２柄部との境界部は、幅方向略中央部から幅方向両端に向かうに従い長手方向一方側に向けて傾斜する傾斜直線状とされていることを特徴とする化粧板。
【発明の詳細な説明】
【技術分野】
【０００１】
本発明は、床材や壁材、天井材等として用いられる化粧板に関する。
【背景技術】
【０００２】
従来より、一方向に隣り合うもの同士が接合される床材や壁材、天井材等の化粧板が知られている。このような化粧板の厚さ方向一方側の化粧面は、格子状や乱尺張状の模様（柄、パターン）とされたものもあるが、斜線状のパターンが施されたものもある。
例えば、下記特許文献１には、複数の斜めパターンが形成されたフロア用厚板が開示されている。
【先行技術文献】
【特許文献】
【０００３】
【特許文献１】特表２００８−５１９１８６号公報
【発明の概要】
【発明が解決しようとする課題】
【０００４】
しかしながら、上記特許文献１に記載されたものでは、隣り合うフロア用厚板同士の接合部において互いの斜めパターンの境界部が位置ずれし易く、更なる改善が望まれる。
【０００５】
本発明は、上記実情に鑑みてなされたものであり、隣り合う柄部の境界部が一方向両端部の端面に対して非平行状とされた柄部を設けた構成としながらも、接合部におけるパターンのずれを目立ち難くし得る化粧板を提供することを目的としている。
【課題を解決するための手段】
【０００６】
上記目的を達成するために、本発明に係る化粧板は、一方向に隣り合う化粧板に接合される化粧板であって、厚さ方向一方側の化粧面には、互いの境界部が一方向両端部の端面に対して非平行状の傾斜直線状または曲線状とされた第１柄部と第２柄部とが一方向に交互に設けられており、前記第１柄部及び前記第２柄部のうちの一方の柄部が前記一方向両端部に位置し、かつ前記境界部が前記端面に交差及び接しないように半割状に設けられていることを特徴とする。
【発明の効果】
【０００７】
本発明に係る化粧板は、上述のような構成としたことで、隣り合う柄部の境界部が一方向両端部の端面に対して非平行状とされた柄部を設けた構成としながらも、接合部におけるパターンのずれを目立ち難くすることができる。
【図面の簡単な説明】
【０００８】
【図１】（ａ）〜（ｃ）は、本発明の一実施形態に係る化粧板の一例を模式的に示し、（ａ）は、概略平面図、（ｂ）、（ｃ）は、一部破断概略平面図である。
【図２】（ａ）、（ｂ）は、いずれも本発明の他の実施形態に係る化粧板の一例を模式的に示し、図１（ｃ）にそれぞれ対応させた一部破断概略平面図である。
【発明を実施するための形態】
【０００９】
以下に本発明の実施の形態について、図面に基づいて説明する。
なお、一部の図では、他図に付している符号の一部を省略している。
図１は、第１実施形態に係る化粧板の一例を模式的に示す図である。
【００１０】
本実施形態に係る化粧板１（１Ａ）は、図１（ｂ）、（ｃ）に示すように、一方向に隣り合う化粧板１（１Ｂ）に接合される。この化粧板１は、床材や壁材、天井材等の内装材等として用いられるものでもよい。
本実施形態では、化粧板１は、図１（ａ）に示すように、一方向に長尺状とされている。また、この化粧板１は、略矩形平板状とされている。また、この化粧板１の幅方向両端部２，３及び長手方向両端部４，６に、実部８，９を設けた構成としている。つまり、この化粧板１は、幅方向及び長手方向に隣り合う化粧板１に対して実接合される構成とされている。図例では、幅方向一端部としての短手第１端部２及び長手方向一端部としての長手第１端部４に、実部８，８としての雄実部を設けた例を示している。また、幅方向他端部としての短手第２端部３及び長手方向他端部としての長手第２端部６に、実部９，９としての雌実部を設けた例を示している。なお、実部８，９としては、本実状の実部に限られず、相じゃくり状の実部を設けた構成としてもよく、さらには、このような実部８，９を設けていない構成としてもよい。
【００１１】
この化粧板１の長さ寸法や幅寸法、厚さ寸法は、施工箇所や用途等に応じて適宜の寸法とされたものでもよい。例えば、この化粧板１を、床材として用いられるものとした場合には、長さ寸法が６００ｍｍ〜２０００ｍｍ程度、幅寸法が１５０ｍｍ〜５００ｍｍ程度、厚さ寸法が１．５ｍｍ〜２０ｍｍ程度とされたものでもよい。
また、この化粧板１は、厚さ方向一方面（表面）が化粧面１０とされている。この化粧板１は、木質系材料や合成樹脂系材料等から形成された基材の厚さ方向一方面に、化粧面１０を構成する化粧シートが積層されたものでもよい。このような化粧シートとしては、樹脂シートや印刷紙、突板等でもよい。また、化粧面１０は、化粧シートによって構成されたものに限られず、塗装や印刷等によって構成されたものでもよい。また、当該化粧板１の厚さ方向他方面（裏面）に防湿シートや遮音シートなどの機能シートを更に積層した構成としてもよい。
【００１２】
化粧面１０には、互いの境界部１５が一方向（長手方向）両端部４，６の端面５，７に対して非平行状の傾斜直線状または曲線状とされた第１柄部１１と第２柄部１４とが長手方向に交互に設けられている。また、第１柄部１１及び第２柄部１４のうちの一方の柄部は、長手方向両端部４，６に位置し、かつ境界部１５が端面５，７に交差及び接しないように半割状に設けられている。このような構成とすれば、境界部１５が長手方向両端部４，６の端面５，７に対して非平行状とされた柄部１１，１４を設けた構成としながらも、長手方向に隣り合う化粧板１，１同士の接合部におけるパターンのずれを目立ち難くすることができる。つまり、境界部１５が傾斜直線状または曲線状とされた第１柄部１１と第２柄部１４とを交互に設けた構成としているので、比較的に単調な格子状や乱尺張状のパターンとされたものと比べて、複雑なパターンを形成することができる。また、長手方向に隣り合う化粧板１，１の端面５，７同士が突き合わせられて接合された状態で、一方の柄部の概ね全体が形成され、また、第１柄部１１と第２柄部１４との境界部１５が長手方向に隣り合う化粧板１，１同士の接合部に位置することがない。従って、長手方向両端部４，６に位置する半割柄部１２，１３に誤差等があるような場合にも、長手方向に隣り合う化粧板１，１同士の接合部におけるパターンのずれを目立ち難くすることができる。つまりは、長手方向に隣り合う化粧板１，１同士の接合部に形成される一方の柄部の長手方向に沿う寸法に誤差が生じた場合にも、接合部における境界部１５同士の不一致等に起因するパターンのずれが生じ難くなる。
【００１３】
これら第１柄部１１と第２柄部１４とは、境界部１５を挟んで異なる柄（パターン）として識別されるものであればよい。これら第１柄部１１と第２柄部１４とは、例えば、明度（濃淡）や色相等の色属性が互いに異なるものでもよく、一方が他方よりも凹んだエンボス状でもよい。また、上記のように化粧面１０を突板によって構成した場合には、この突板が第１柄部１１を構成する木材と第２柄部１４を構成する木材とを集成した後にスライスして形成されたものでもよい。
本実施形態では、一方の柄部としての第１柄部１１を、他方の柄部としての第２柄部１４よりも濃色としている。つまり、長手方向両端部４，６に位置する半割柄部１２，１３は、第２柄部１４よりも濃色とされた第１柄部１１（１１Ａ）を構成する。このような構成とすれば、長手方向に隣り合う化粧板１，１同士の接合部において形成される柄部（接合第１柄部）１１Ａが濃色となり、長手方向に隣り合う化粧板１，１同士の接合部を目立ち難くすることができる。淡色の第２柄部１４及び濃色の第１柄部１１の濃淡は、第１柄部１１と第２柄部１４とが異なる柄として識別可能なように適宜の濃淡であればよい。
【００１４】
また、本実施形態では、これら第１柄部１１と第２柄部１４との境界部１５は、長手方向両端部４，６の端面５，７に対して傾斜直線状とされている。つまり、境界部１５は、長手方向両端部４，６の端面５，７に平行状（化粧板１の幅方向に延びる直線状）とされておらず、傾斜直線状とされている。また、本実施形態では、第１柄部１１と第２柄部１４との境界部１５は、当該化粧板１の幅方向略中央部から幅方向両端部２，３に向かうに従い長手方向一方側としての長手第１端部４側に向けて傾斜する傾斜直線状とされている。つまり、境界部１５は、当該化粧板１を厚さ方向に見て（平面視して）、略Ｖ字状とされている。このような構成とすれば、第１柄部１１と第２柄部１４とによって矢羽柄状（ヘリンボーン柄状）のパターンを形成することができる。図例では、境界部１５を、その短手第１端部２側部位と短手第２端部３側部位とのなす角度が鈍角状とされた略Ｖ字状とした例を示しているが、この角度が直角状や鋭角状とされた略Ｖ字状としてもよい。
【００１５】
また、本実施形態では、各境界部１５の短手第１端部２側部位同士及び短手第２端部３側部位同士を、互いに略平行状としている。また、境界部１５は、短手第１端部２側の端部と短手第２端部３側の端部とが当該化粧板１の長手方向で略一致した位置となるように設けられている。また、境界部１５は、複数の第１柄部１１同士が互いに略同寸同形状となり、複数の第２柄部１４同士が互いに略同寸同形状となるように設けられている。また、境界部１５は、第１柄部１１と第２柄部１４とが互いに略同寸同形状となるように、当該化粧板１の長手方向に略等間隔を空けて設けられている。
【００１６】
また、本実施形態では、当該化粧板１の幅方向略中央部に、当該化粧板１の長手方向に延びる直線状の縦線部１６を設けた構成としている。第１柄部１１及び第２柄部１４は、この縦線部１６の両側において平面視して略平行四辺形状とされている。なお、各図においては、境界部１５及び縦線部１６を実線にて図示しているが、境界部１５及び縦線部１６は、第１柄部１１と第２柄部１４との色属性や素材の違い、凹凸、継目等によって視認可能とされたものでもよい。また、第１柄部１１と第２柄部１４とが異なる柄として識別可能であればよく、複数の第１柄部１１同士及び複数の第２柄部１４同士が互いに僅かに異なる色柄等とされたものでもよい。また、縦線部１６を設けていない構成としてもよい。
【００１７】
長手方向両端部４，６に位置する半割柄部１２，１３は、長手第１端部４の第１半割柄部１２と長手第２端部６の第２半割柄部１３とからなる。
これら第１半割柄部１２及び第２半割柄部１３は、これらを接合すれば、概ね第１柄部１１となるように半割状とされている。つまり、図１（ｃ）に示すように、長手方向に隣り合う化粧板１（１Ａ），１（１Ｂ）同士の接合部には、一方の化粧板１Ａの第１半割柄部１２と他方の化粧板１Ｂの第２半割柄部１３とによって他の第１柄部１１と概ね同寸同形状の接合第１柄部１１Ａが形成される。
【００１８】
長手第１端部４の第１半割柄部１２は、矢羽柄状の先端側（尖頭側）を構成している。この第１半割柄部１２は、長手第２端部６側に隣接する第２柄部１４との境界部１５が長手方向一方の端面としての第１端面５に交差及び接しないように設けられている。換言すれば、この第１半割柄部１２の長手第２端部６側の境界部１５は、短手第１端部２側の端部及び短手第２端部３側の端部が第１端面５よりも長手第２端部６側に位置するように設けられている。
長手第２端部６の第２半割柄部１３は、矢羽柄状の末端側（二股側）を構成している。この第２半割柄部１３は、長手第１端部４側に隣接する第２柄部１４との境界部１５が長手方向他方の端面としての第２端面７に交差及び接しないように設けられている。換言すれば、この第２半割柄部１３の長手第１端部４側の境界部１５は、当該境界部１５の中央部（化粧板１の幅方向に沿う方向の中央部）が第２端面７よりも長手第１端部４側に位置するように設けられている。
【００１９】
また、これら第１半割柄部１２と第２半割柄部１３とは、図例では、第１柄部１１を化粧板１の長手方向に沿う方向の略中央部で分割したような形状とされている。つまり、第１半割柄部１２の長手第２端部６側の境界部１５の中央部から第１端面５までの化粧板１の長手方向に沿う寸法と、第２半割柄部１３の長手第１端部４側の境界部１５の短手第１端部２側の端部及び短手第２端部３側の端部から第２端面７までの化粧板１の長手方向に沿う寸法と、が略同寸法とされている。なお、このような態様に代えて、第１半割柄部１２と第２半割柄部１３とは、長手方向一方側に片寄った位置において第１柄部１１を分割したような形状とされたものでもよい。
【００２０】
次に、本発明に係る他の実施形態について、図面を参照しながら説明する。
なお、以下の各実施形態では、上記第１実施形態との相違点について主に説明し、同様の構成については、同一の符号を付し、その説明を省略または簡略に説明する。
【００２１】
図２（ａ）は、第２実施形態に係る化粧板の一例を模式的に示す図である。
本実施形態に係る化粧板１Ｃは、化粧面１０Ａに設けられた第１柄部１１Ｂ及び第２柄部１４Ａの構成が上記第１実施形態とは主に異なる。
本実施形態では、第１柄部１１Ｂ及び第２柄部１４Ａは、平面視して略平行四辺形状とされている。つまり、これら第１柄部１１Ｂと第２柄部１４Ａとの境界部１５Ａは、化粧板１Ｃの短手第１端部２から短手第２端部３に向かうに従い長手方向一方側（図例では、長手第１端部４側）に向けて傾斜する傾斜直線状とされている。また、各境界部１５Ａは、互いに略平行状とされている。
【００２２】
また、これら第１柄部１１Ｂ及び第２柄部１４Ａは、上記同様、互いに略同寸同形状とされ、一方の柄部としての第１柄部１１Ｂが第２柄部１４Ａよりも濃色とされている。
半割柄部１２Ａ，１３Ａは、上記同様、長手方向に隣り合う一方の化粧板１Ｃ（１Ｄ）の第１半割柄部１２Ａと他方の化粧板１Ｃ（１Ｅ）の第２半割柄部１３Ａとによって他の第１柄部１１Ｂと概ね同寸同形状の接合第１柄部１１Ｃが形成されるように設けられている。
これら半割柄部１２Ａ，１３Ａは、本実施形態では、化粧板１Ｃの厚さ方向に沿う軸回りに一方を略１８０度回転させれば、他方に一致する構成とされ、互いに略同寸同形状とされている。また、これら半割柄部１２Ａ，１３Ａは、図例では、直角台形状とされている。
【００２３】
第１半割柄部１２Ａは、長手第２端部６側に隣接する第２柄部１４Ａとの境界部１５Ａが長手方向一方の端面としての第１端面５に交差及び接しないように設けられている。換言すれば、この第１半割柄部１２Ａの長手第２端部６側の境界部１５Ａは、短手方向一方側（図例では、短手第２端部３側）の端部が第１端面５よりも長手第２端部６側に位置するように設けられている。
第２半割柄部１３Ａは、長手第１端部４側に隣接する第２柄部１４Ａとの境界部１５Ａが長手方向他方の端面としての第２端面７に交差及び接しないように設けられている。換言すれば、この第２半割柄部１３Ａの長手第１端部４側の境界部１５Ａは、短手方向他方側（図例では、短手第１端部２側）の端部が第２端面７よりも長手第１端部４側に位置するように設けられている。
上記構成とされた本実施形態に係る化粧板１Ｃにおいても、上記第１実施形態と概ね同様の効果を奏する。
【００２４】
図２（ｂ）は、第３実施形態に係る化粧板の一例を模式的に示す図である。
本実施形態に係る化粧板１Ｆは、化粧面１０Ｂに設けられた第１柄部１１Ｄ及び第２柄部１４Ｂの構成が上記第１実施形態とは主に異なる。
本実施形態では、第１柄部１１Ｄと第２柄部１４Ｂとの境界部１５Ｂが曲線状とされている。また、境界部１５Ｂは、その概ね全体に亘って曲線状とされている。図例では、境界部１５Ｂは、短手第１端部２側部位が長手第１端部４側に向けて凸となる凸湾曲線状とされ、短手第２端部３側部位が長手第１端部４側に向けて凹となる凹湾曲線状とされた略Ｓ字状とされている。また、図例では、境界部１５Ｂは、短手第１端部２側の端部と短手第２端部３側の端部とが当該化粧板１Ｆの長手方向で略一致した位置となるように設けられている。また、各境界部１５Ｂは、互いに略平行状とされている。
【００２５】
また、第１柄部１１Ｄ及び第２柄部１４Ｂは、上記同様、互いに略同寸同形状とされ、一方の柄部としての第１柄部１１Ｄが第２柄部１４Ｂよりも濃色とされている。
半割柄部１２Ｂ，１３Ｂは、上記同様、長手方向に隣り合う一方の化粧板１Ｆ（１Ｇ）の第１半割柄部１２Ｂと他方の化粧板１Ｆ（１Ｈ）の第２半割柄部１３Ｂとによって他の第１柄部１１Ｄと概ね同寸同形状の接合第１柄部１１Ｅが形成されるように設けられている。
これら半割柄部１２Ｂ，１３Ｂは、上記第２実施形態と同様、化粧板１Ｆの厚さ方向に沿う軸回りに一方を略１８０度回転させれば、他方に一致する構成とされ、互いに略同寸同形状とされている。
【００２６】
第１半割柄部１２Ｂは、長手第２端部６側に隣接する第２柄部１４Ｂとの境界部１５Ｂが長手方向一方の端面としての第１端面５に交差及び接しないように設けられている。換言すれば、この第１半割柄部１２Ｂの長手第２端部６側の境界部１５Ｂは、短手方向一方側（図例では、短手第１端部２側）部位の第１端面５側に向けて凸湾曲線状とされた凸部の先端部が第１端面５よりも長手第２端部６側に位置するように設けられている。
第２半割柄部１３Ｂは、長手第１端部４側に隣接する第２柄部１４Ｂとの境界部１５Ｂが長手方向他方の端面としての第２端面７に交差及び接しないように設けられている。換言すれば、この第２半割柄部１３Ｂの長手第１端部４側の境界部１５Ｂは、短手方向他方側（図例では、短手第２端部３側）部位の第２端面７側に向けて凸湾曲線状とされた凸部の先端部が第２端面７よりも長手第１端部４側に位置するように設けられている。
上記構成とされた本実施形態に係る化粧板１Ｆにおいても、上記第１実施形態と概ね同様の効果を奏する。
【００２７】
なお、上記各実施形態において説明した互いに異なる構成の一部を組み替えたり、組み合わせたりして適用するようにしてもよい。
また、上記各実施形態では、第１柄部１１，１１Ｂ，１１Ｄを第２柄部１４，１４Ａ，１４Ｂよりも濃色とした例を示しているが、このような態様に限られず、第１柄部１１，１１Ｂ，１１Ｄと第２柄部１４，１４Ａ，１４Ｂとが識別可能であればよい。
また、上記各実施形態では、境界部１５，１５Ａ，１５Ｂを互いに略平行状とし、第１柄部１１，１１Ｂ，１１Ｄと第２柄部１４，１４Ａ，１４Ｂとを略同寸同形状とした例を示しているが、このような態様に限られない。例えば、上記各実施形態において説明した境界部１５，１５Ａ，１５Ｂを、化粧板１，１Ｃ，１Ｆの長手方向に交互に逆向状に設けたような態様等としてもよく、その他、種々の変形が可能である。
【符号の説明】
【００２８】
１，１Ａ〜１Ｈ        化粧板
４                    長手第１端部（一方向一端部）
５                    第１端面
６                    長手第２端部（一方向他端部）
７                    第２端面
１０，１０Ａ，１０Ｂ  化粧面
１１，１１Ａ〜１１Ｅ  第１柄部（一方の柄部）
１２，１２Ａ，１２Ｂ  第１半割柄部（第１柄部）
１３，１３Ａ，１３Ｂ  第２半割柄部（第１柄部）
１４，１４Ａ，１４Ｂ  第２柄部（他方の柄部）
１５，１５Ａ，１５Ｂ  境界部
【図１】
2019007267.tif 000003
【図２】
2019007267.tif 000004